(57)【要約】第１のサイトに適用される無線フレームの処理方法において、第１の無線フレームを検出すると、自身が関連状態にあるか否かを判断することと、関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、第１のプリセットルールに従ってキャリア検出を行い、非関連状態であれば、第２のプリセットルールに従ってキャリア検出を行うことと、を含む。【選択図】図２
2019533386.tif 000002
【特許請求の範囲】
【請求項１】
第１のサイトに適用される無線フレームの処理方法であって、
第１の無線フレームを検出すると、自身が関連状態にあるか否かを判断することと、  
関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、第１のプリセットルールに従ってキャリア検出を行い、
非関連状態であれば、第２のプリセットルールに従ってキャリア検出を行うことと、を含む、
無線フレームの処理方法。
【請求項２】
第１の無線フレームに担持される第１の属性情報、及び自身に関連付けられるアクセスポイントサイトに対応する第２の属性情報に基づき、前記第１の無線フレームの帰属状況を判定することは、
前記第１の無線フレームに担持される第１の属性情報を取得することと、
前記第１の属性情報、および前記第１のアクセスポイントに対応する第２の属性情報に基づき、前記第１の無線フレームが自身の所属ＢＳＳの内部無線フレームであるか否かを判断し、前記第１の無線フレームの帰属状況を取得することとを含み、
前記第１の無線フレームは、第２のサイトから関連付けられた第２のアクセスポイントサイトへ送信された無線フレームであり、前記第１のアクセスポイントサイトと前記第２のアクセスポイントサイトとが同じマルチ基本サービスセットＢＳＳセットに属する、
請求項１に記載の方法。
【請求項３】
第１の属性情報、および前記第１のアクセスポイントに対応する第２の属性情報に基づき、前記第１の無線フレームが自身の所属ＢＳＳの内部無線フレームであるか否かを判断することは、
前記第１の属性情報と前記マルチＢＳＳセットにおけるいずれかのＢＳＳの属性情報との照合を行い、前記第１の属性情報とマッチングする第２の属性情報が存在する場合、前記第１の無線フレームが自身の所属ＢＳＳの内部無線フレームであると判断し、前記第１の属性情報とマッチングする第２の属性情報が存在しない場合、前記第１の無線フレームが自身の所属ＢＳＳの内部無線フレームではないと判断することを含む、
請求項２に記載の方法。
【請求項４】
第１の無線フレームの帰属状況に基づき、第１のプリセットルールに従ってキャリア検出を行うことは、
前記帰属状況よって、前記第１の無線フレームが自身の所属ＢＳＳの内部無線フレームであることが表示された場合、第１の閾値を用いて物理キャリア検出を行い、自身のＢＳＳの内部ネットワーク割付ベクトルを更新し、
前記帰属状況よって、前記第１の無線フレームが自身の所属ＢＳＳの外部無線フレームであることが表示された場合、第２の閾値を用いて物理キャリア検出を行い、自身の共通ネットワーク割付ベクトルを更新することを含み、
前記第１の閾値は前記第２の閾値以下である、
請求項２に記載の方法。
【請求項５】
自身のＢＳＳの内部ネットワーク割付ベクトルを更新することは、
前記第１の無線フレームに担持される予約チャンネル時間情報に基づき、自身のＢＳＳの内部ネットワーク割付ベクトルを更新することを含み、
自身の共通ネットワーク割付ベクトルを更新することは、
前記第１の無線フレームに担持される予約チャンネル時間情報に基づき、自身の共通ネットワーク割付ベクトルを更新することを含む、
請求項４に記載の方法。
【請求項６】
前記第１の属性情報は、前記第１の無線フレームの一部の関連識別フィールドにおける前記第２のアクセスポイントサイトの一部のＢＳＳ情報であり、前記第２の属性情報は、前記マルチＢＳＳセットのうちのいずれかのＢＳＳの一部のＢＳＳ情報である、
請求項２〜５のいずれか一項に記載の方法。
【請求項７】
自身が関連状態にあるか否かを判断することは、
自身が１つのアクセスポイントサイトに関連しているか否か、或いは関連しようとするターゲットアクセスポイントサイトが存在するか否かを判断することと、
対応的に、非関連状態であれば、自身が１つのアクセスポイントサイトに関連していない、または関連しようとするターゲットアクセスポイントサイトが存在しない場合、第１の閾値に応じて物理キャリア検出を行い、自身の共通ネットワーク割付ベクトル及び／またはＢＳＳの内部ネットワーク割付ベクトルを更新することを含む、第２のプリセットルールに従ってキャリア検出を行うことと、を含む、
請求項１に記載の方法。
【請求項８】
自身のネットワーク割付ベクトルを更新することは、
自身の共通ネットワーク割付ベクトル及び／またはＢＳＳの内部ネットワーク割付ベクトルを更新することを含む、
請求項７に記載の方法。
【請求項９】
アクセスポイントサイトに適用される無線フレームの処理方法であって、
第２の無線フレームを検出すると、前記第２の無線フレームに担持される上り・下り識別情報を取得することと、
少なくとも前記上り・下り識別情報に基づき、前記第２の無線フレームの帰属状況を判定することと、
前記第２の無線フレームの帰属状況に基づき、自身のネットワーク割付ベクトルの更新を判定することと、を含む、
ことを特徴とする無線フレームの処理方法。
【請求項１０】
第２の無線フレームの帰属状況に基づき、自身のネットワーク割付ベクトルを判定することは、
前記帰属状況よって、前記第２の無線フレームが自身の所属する基本サービスセットＢＳＳの外部無線フレームであることが表示された場合、自身の共通ネットワーク割付ベクトルを更新することと、  
対応的に、前記帰属状況よって、前記第２の無線フレームが自身の所属ＢＳＳの内部無線フレームであることが表示された場合、自身のネットワーク割付ベクトルを更新しないことと、を含む、
請求項９に記載の方法。
【請求項１１】
前記第２の無線フレームに担持されるネットワーク識別情報を取得することを更に含み、前記ネットワーク識別情報は前記第２の無線フレームの送信側のネットワーク識別情報であり、
対応的に、少なくとも前記上り・下り識別情報に基づき、前記第２の無線フレームの帰属状況を判定することは、
前記上り・下り識別情報および前記ネットワーク識別情報に基づき、前記第２の無線フレームの帰属状況を判定することを含む、
請求項９に記載の方法。
【請求項１２】
上り・下り識別情報および前記ネットワーク識別情報に基づき、前記第２の無線フレームの帰属状況を判定することは、
前記上り・下り識別情報に基づき、前記第２の無線フレームが上り無線フレームであると判定すると、前記ネットワーク識別情報と、自身のネットワーク識別情報または自身の所属するマルチＢＳＳセットのうちのいずれかのネットワーク識別情報との照合を行い、
マッチングに成功した場合、前記第２の無線フレームが自身の所属ＢＳＳの内部無線フレームであると判定し、
マッチングに失敗した場合、前記第２の無線フレームが自身の所属ＢＳＳの外部無線フレームであると判定することを含む、
請求項１１に記載の方法。
【請求項１３】
上り・下り識別情報および前記ネットワーク識別情報に基づき、前記第２の無線フレームの帰属状況を判定することは、
前記上り・下り識別情報に基づき、前記第２の無線フレームが下り無線フレームであると判定すると、前記第２の無線フレームが自身の所属ＢＳＳの外部無線フレームであると判定することを含む、
請求項１１に記載の方法。
【請求項１４】
第３の無線フレームを検出すると、前記第３の無線フレームがフレーム間インターバルの後に後続の無線フレームの送信を要求するか否か、および自身が後続の応答フレームを送信する送信条件に満たすか否かを判断することと、
前記第３の無線フレームが前記フレーム間インターバルの後に後続の無線フレームの送信を要求し、且つ自身が前記送信条件に満たしていない場合、前記第３の無線フレームを受信し、自身のネットワーク割付ベクトルを更新することと、含む、
無線フレームの処理方法。
【請求項１５】
前記第３の無線フレームに、上りマルチユーザ伝送をトリガするためのトリガフレームまたはトリガ情報が含まれる、
請求項１４に記載の方法。
【請求項１６】
自身が後続の応答フレームを送信する送信条件に満たすか否かを検出することは、
物理／仮想キャリア検出を行うことを含み、
検出結果は、物理キャリア検出がビジーであること、仮想キャリア検出がビジーであること、またはフレーム間インターバルにおいて検出されたエネルギーがプリセット閾値よりも高いことを表明した場合、自身が前記送信条件に満たさないことを表明する、
請求項１４に記載の方法。
【請求項１７】
第３の無線フレームを検出すると、
自身がトランスミッションチャンス所有者であるか否かを判断し、
ＹＥＳであれば、自身のネットワーク割付ベクトルを更新しないことを更に含む、
請求項１６に記載の方法。
【請求項１８】
第３の無線フレームを検出すると、
トランスミッションチャンス所有者サイトから送信される前記第３の無線フレームに対して即座に応答する必要があるか否かを判断し、
ＹＥＳであれば、自身のネットワーク割付ベクトルを更新せず、
ＮＯであれば、自身のネットワーク割付ベクトルを更新することを更に含む、
請求項１７に記載の方法。
【請求項１９】
第１の無線フレームを検出するように構成される第１の検出モジュールと、
前記第１の検出モジュールによって前記第１の無線フレームが検出されると、自身の所属サイトが関連状態にあるか否かを判断するように構成される第１の判断モジュールと、
関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、第１のプリセットルールに従ってキャリア検出を行い、非関連状態であれば、第２のプリセットルールに従ってキャリア検出を行うように構成される第１の更新ユニットと、を備える、
無線フレームの処理装置。
【請求項２０】
前記第１の更新ユニットは、前記第１の無線フレームに担持される第１の属性情報を取得し、前記第１の属性情報および前記第１のアクセスポイントに対応する第２の属性情報に基づき、前記第１の無線フレームが自身の所属ＢＳＳの内部無線フレームであるか否かを判断し、前記第１の無線フレームの帰属状況を取得するように構成され、
前記第１の無線フレームは第２のサイトから関連付けられた第２のアクセスポイントサイトへ送信された無線フレームであり、前記第１のアクセスポイントサイトと前記第２のアクセスポイントサイトとが同じマルチ基本サービスセットＢＳＳセットに属する、
請求項１９に記載の装置。
【請求項２１】
検出第２の無線フレームを検出するように構成される第２の検出ユニットと、
前記第２の検出ユニットによって第２の無線フレームが検出されると、前記第２の無線フレームに担持される上り・下り識別情報を取得するように構成される第１の取得ユニットと、
少なくとも前記上り・下り識別情報に基づき、前記第２の無線フレームの帰属状況を判定し、前記第２の無線フレームの帰属状況に基づき、自身のネットワーク割付ベクトルを更新するか否かを判定するように構成される第２の更新ユニットと、を備える、
無線フレームの処理装置。
【請求項２２】
前記第２の更新ユニットは、前記帰属状況によって、前記第２の無線フレームが自身の所属するマルチ基本サービスセットＢＳＳセットの外部無線フレームであることが表示された場合、自身のネットワーク割付ベクトルを更新し、前記帰属状況によって、前記第２の無線フレームが自身の所属ＢＳＳの内部無線フレームであることが表示された場合、自身のネットワーク割付ベクトルを更新しないように構成される、
請求項２１に記載の装置。
【請求項２３】
第３の無線フレームを検出するように構成される第３の検出ユニットと、
前記第３の検出ユニットによって前記第３の無線フレームが検出されると、前記第３の無線フレームがフレーム間インターバルの後に後続の無線フレームの送信を要求するか否か、及び自身が後続の応答フレームを送信する送信条件に満たすか否かを判断するように構成される第２の判断ユニットと、
前記第３の無線フレームが前記フレーム間インターバルの後に後続の無線フレームの送信を要求し、且つ自身が前記送信条件に満たしていない場合、前記第３の無線フレームを受信し、自身のネットワーク割付ベクトルを更新させるように構成される第３の更新ユニットと、を備える、
無線フレームの処理装置。
【請求項２４】
前記第２の判断ユニットは、前記第３の無線フレームに対して物理／仮想キャリア検出を行うように構成され、
検出結果は、物理キャリア検出がビジーであること、仮想キャリア検出がビジーであること、またはフレーム間インターバルにおいて検出されたエネルギーがプリセット閾値よりも高いことを表明した場合、自身が前記送信条件に満たさないことを表明する、
請求項２３に記載の装置。
【発明の詳細な説明】
【技術分野】
【０００１】
本発明は、通信技術分野に関するが、それに限定されず、特に、無線フレームの処理方法および装置に関する。
【背景技術】
【０００２】
媒体共有無線ネットワークとは、一般的に、免許不要の周波数帯を用いて通信するネットワークを指し、よく知られているものは、無線ＬＡＮ（ＷＬＡＮ、Ｗｉｒｅｌｅｓｓ  Ｌｏｃａｌ  Ｎｅｔｗｏｒｋ）である。図１に示すように、ＷＬＡＮにおいて、１つの基礎構造（ｉｎｆｒａｓｔｒｕｃｔｕｒｅ）ネットワークは、１つのアクセスポイント（ＡＰ：Ａｃｃｅｓｓ  Ｐｏｉｎｔ）サイト１１、およびこのＡＰサイト１１に関連付けられた複数のノンアクセスポイント（ｎｏｎ−ＡＰ：ｎｏｎ−Ａｃｃｅｓｓ  Ｐｏｉｎｔ）サイト１２からなる１つの基本サービスセット（ＢＳＳ：Ｂａｓｉｃ  Ｓｅｒｖｉｃｅ  Ｓｅｔ）である。このようなネットワーク構造において、データがＡＰサイトで集合・配信され、即ち、一般的にｎｏｎ−ＡＰサイトとＡＰサイトとの間のみに通信が行われる。ＡＰとｎｏｎ−ＡＰサイトの関係は、セルラーネットワークにおける基地局と端末の関係に類似する。
【発明の概要】
【発明が解決しようとする課題】
【０００３】
以下は、本明細書に詳しく説明する主旨の概要である。本概要は、特許請求の範囲の保護範囲を限定するためのものではない。
【０００４】
ＷＬＡＮの新技術において、ネットワークが集約的に配置された場合の干渉回避、効率向上に関わる技術は、検討のホットスポットとなっており、例えば、新仕様をサポートするサイトは、送信する新フォーマットの無線フレームの物理レイヤフレームヘッドに所属ＢＳＳのネットワーク識別子（Ｃｏｌｏｒ  ｂｉｔｓ、Ｃｏｌｏｒとも略称され）、サイト識別子（ＩＤ：ＩＤｅｎｔｉｆｉｅｒ）、上り・下り指示（ＵＬ  ｆｌａｇ）、空間多重パラメータ、及び予約伝送時間などの制御情報を付加する。このようにして、当該無線フレームを検出したサイトは、早めにそれらの制御情報に基づき、後続の無線フレームの負荷または当該伝送の基本状況を判断して、次の操作を決定しながら、それらの新技術をサポートする機器は、従来の無線フレームにおける既有のネットワーク識別子などの情報を検出することによって次の判断を行うことができる。しかしながら、上述した受信、判断および処理の新技術は、ＷＬＡＮネットワークにおけるすべてのシーンをカバーせず、基本的に、複数の独立した基礎アーキテクチャＢＳＳに対する最適化であり、マルチＢＳＳシーンでの最適化をサポートせず、未関連サイトの検出の最適化もサポートしない。そのため、上述した受信、判断および処理の新技術の無線フレームに対する処理は不適切である。
【０００５】
本発明は、サイトが適切な仮想キャリアまたは物理キャリア検出パラメータを用いて無線フレームを検出・受信可能となるように、マルチＢＳＳシーンおよび未関連サイトのシーンに対する無線フレームの処理を実現する、無線フレームの処理方法および装置を提供する。
【課題を解決するための手段】
【０００６】
本開示の実施例は、第１のサイトに適用される無線フレームの処理方法であって、
第１の無線フレームを検出すると、自身が関連状態にあるか否かを判断することと、  
関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、第１のプリセットルールに従ってキャリア検出を行い、  
非関連状態であれば、第２のプリセットルールに従ってキャリア検出を行うことと、を含む無線フレームの処理方法を提供する。
【０００７】
例示的な実施形態において、第１の無線フレームに担持される第１の属性情報、及び自身に関連付けられるアクセスポイントサイトに対応する第２の属性情報に基づき、前記第１の無線フレームの帰属状況を判定することは、
前記第１の無線フレームに担持される第１の属性情報を取得することと、
前記第１の属性情報、および前記第１のアクセスポイントに対応する第２の属性情報に基づき、前記第１の無線フレームが自身の所属ＢＳＳの内部無線フレームであるか否かを判断し、前記第１の無線フレームの帰属状況を取得することとを含み、
前記第１の無線フレームは、第２のサイトが関連付けられた第２のアクセスポイントサイトへ送信された無線フレームであり、前記第１のアクセスポイントサイトと前記第２のアクセスポイントサイトとが同じマルチ基本サービスセットＢＳＳセットに属する。
【０００８】
例示的な実施形態において、第１の属性情報、および前記第１のアクセスポイントに対応する第２の属性情報に基づき、前記第１の無線フレームが自身の所属ＢＳＳの内部無線フレームであるか否かを判断することは、
前記第１の属性情報と前記マルチＢＳＳセットにおけるいずれかのＢＳＳの属性情報との照合を行い、前記第１の属性情報とマッチングする第２の属性情報が存在する場合、前記第１の無線フレームが自身の所属ＢＳＳの内部無線フレームであると判断し、前記第１の属性情報とマッチングする第２の属性情報が存在しない場合、前記第１の無線フレームが自身の所属ＢＳＳの内部無線フレームではないと判断することを含む。
【０００９】
例示的な実施形態において、第１の無線フレームの帰属状況に基づき、第１のプリセットルールに従ってキャリア検出を検出することは、
前記帰属状況によって、前記第１の無線フレームが自身の所属ＢＳＳの内部無線フレームであることが表示された場合、第１の閾値を用いて物理キャリア検出を行い、自身のＢＳＳの内部ネットワーク割付ベクトルを更新し、
前記帰属状況によって、前記第１の無線フレームが自身の所属ＢＳＳの外部無線フレームであることが表示された場合、第２の閾値を用いて物理キャリア検出を行い、自身の共通ネットワーク割付ベクトルを更新することを含む。
ここで、前記第１の閾値は前記第２の閾値以下である。
【００１０】
例示的な実施形態において、自身のＢＳＳの内部ネットワーク割付ベクトルを更新することは、
前記第１の無線フレームに担持される予約チャンネル時間情報に基づき、自身のＢＳＳの内部ネットワーク割付ベクトルを更新することを含み、
自身の共通ネットワーク割付ベクトルを更新することは、
前記第１の無線フレームに担持される予約チャンネル時間情報に基づき、自身の共通ネットワーク割付ベクトルを更新することを含む。
【００１１】
例示的な実施形態において、前記第１の属性情報は、前記第１の無線フレームの一部の関連識別フィールドにおける前記第２のアクセスポイントサイトの一部のＢＳＳ情報であり、前記第２の属性情報は、前記マルチＢＳＳセットにおけるいずれかのＢＳＳの一部のＢＳＳ情報である。
【００１２】
例示的な実施形態において、自身が関連状態にあるか否かを判断することは、
自身が１つのアクセスポイントサイトに関連しているか否か、或いは関連しようとするターゲットアクセスポイントサイトが存在するか否かを判断することと、
対応的に、非関連状態であれば、自身が１つのアクセスポイントサイトに関連していない、または関連しようとするターゲットアクセスポイントサイトが存在しない場合、第１の閾値に応じて物理キャリア検出を行い、自身の共通ネットワーク割付ベクトル及び／またはＢＳＳの内部ネットワーク割付ベクトルを更新することを含む第２のプリセットルールに従ってキャリア検出を行うことと、を含む。
【００１３】
例示的な実施形態において、自身のネットワーク割付ベクトルを更新することは、
自身の共通ネットワーク割付ベクトル及び／またはＢＳＳの内部ネットワーク割付ベクトルを更新することを含む。
【００１４】
本実施例は、アクセスポイントサイトに適用される無線フレームの処理方法であって、
第２の無線フレームを検出すると、前記第２の無線フレームに担持される上り・下り識別情報を取得することと、
少なくとも前記上り・下り識別情報に基づき、前記第２の無線フレームの帰属状況を判定することと、
前記第２の無線フレームの帰属状況に基づき、自身のネットワーク割付ベクトルの更新を判定することと、を含む無線フレームの処理方法を提供する。
【００１５】
例示的な実施形態において、第２の無線フレームの帰属状況に基づき、自身のネットワーク割付ベクトルを判定することは、
前記帰属状況によって、前記第２の無線フレームが自身の所属する基本サービスセットＢＳＳの外部無線フレームであることが表示された場合、自身の共通ネットワーク割付ベクトルを更新することと、
対応的に、前記帰属状況によって、前記第２の無線フレームが自身の所属ＢＳＳの内部無線フレームであることが表示された場合、自身のネットワーク割付ベクトルを更新しないことと、を含む。
【００１６】
例示的な実施形態において、前記方法は、
前記第２の無線フレームに担持されるネットワーク識別情報を取得することを更に含み、前記ネットワーク識別情報は前記第２の無線フレームの送信側のネットワーク識別情報であり、
対応的に、少なくとも前記上り・下り識別情報に基づき、前記第２の無線フレームの帰属状況を判定することは、
前記上り・下り識別情報および前記ネットワーク識別情報に基づき、前記第２の無線フレームの帰属状況を判定することを含む。
【００１７】
例示的な実施形態において、上り・下り識別情報および前記ネットワーク識別情報に基づき、前記第２の無線フレームの帰属状況を判定することは、
前記上り・下り識別情報に基づき、前記第２の無線フレームが上り無線フレームであると判定すると、前記ネットワーク識別情報と、自身のネットワーク識別情報または自身の所属するマルチＢＳＳセットにおけるいずれかのネットワーク識別情報との照合を行い、
マッチングに成功した場合、前記第２の無線フレームが自身の所属ＢＳＳの内部無線フレームであると判定し、
マッチングに失敗した場合、前記第２の無線フレームが自身の所属ＢＳＳの外部無線フレームであると判定することを含む。
【００１８】
例示的な実施形態において、上り・下り識別情報および前記ネットワーク識別情報に基づき、前記第２の無線フレームの帰属状況を判定することは、
前記上り・下り識別情報に基づき、前記第２の無線フレームが下り無線フレームであると判定すると、前記第２の無線フレームが自身の所属ＢＳＳの外部無線フレームであると判定することを含む。
【００１９】
本実施例は、
第３の無線フレームを検出すると、前記第３の無線フレームがフレーム間インターバルの後に後続の無線フレームの送信を要求するか否か、および自身が後続の応答フレームを送信する送信条件に満たすか否かを判断することと、
前記第３の無線フレームが前記フレーム間インターバルの後に後続の無線フレームの送信を要求し、且つ自身が前記送信条件に満たしていない場合、前記第３の無線フレームを受信し、自身のネットワーク割付ベクトルを更新することと、含む無線フレームの処理方法を提供する。
【００２０】
例示的な実施形態において、前記第３の無線フレームに、上りマルチユーザ伝送をトリガするためのトリガフレームまたはトリガ情報が含まれる。
【００２１】
例示的な実施形態において、自身が後続の応答フレームを送信する送信条件に満たすか否かを検出することは、
物理／仮想キャリア検出を行うことを含む。検出結果は、物理キャリア検出がビジーであること、仮想キャリア検出がビジーであること、またはフレーム間インターバルにおいて検出されたエネルギーがプリセット閾値よりも高いことを表明した場合、自身が前記送信条件に満たさないことを表明する。
【００２２】
例示的な実施形態において、第３の無線フレームを検出すると、前記方法は、
自身が伝送チャンス所有者であるか否かを判断し、
ＹＥＳであれば、自身のネットワーク割付ベクトルを更新しないことを更に含む。
【００２３】
例示的な実施形態において、第３の無線フレームを検出すると、前記方法は、
伝送チャンス所有者サイトから送信される前記第３の無線フレームに対して即座に応答する必要があるか否かを判断し、
ＹＥＳであれば、自身のネットワーク割付ベクトルを更新せず、
ＮＯであれば、自身のネットワーク割付ベクトルを更新することを更に含む。
【００２４】
本実施例は、
第１の無線フレームを検出するように構成される第１の検出モジュールと、
前記第１の検出モジュールによって前記第１の無線フレームが検出されると、自身の所属サイトが関連状態にあるか否かを判断するように構成される第１の判断モジュールと、
関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、第１のプリセットルールに従ってキャリア検出を行い、非関連状態であれば、第２のプリセットルールに従ってキャリア検出を行うように構成される第１の更新ユニットと、
を備える無線フレームの処理装置を更に提供する。
【００２５】
例示的な実施形態において、前記第１の更新ユニットは、前記第１の無線フレームに担持される第１の属性情報を取得し、前記第１の属性情報および前記第１のアクセスポイントに対応する第２の属性情報に基づき、前記第１の無線フレームが自身の所属ＢＳＳの内部無線フレームであるか否かを判断し、前記第１の無線フレームの帰属状況を取得するように構成される。
ここで、前記第１の無線フレームは第２のサイトから関連付けられた第２のアクセスポイントサイトへ送信された無線フレームであり、前記第１のアクセスポイントサイトと前記第２のアクセスポイントサイトとが同じマルチ基本サービスセットＢＳＳセットに属する。
【００２６】
本実施例は、
検出第２の無線フレームを検出するように構成される第２の検出ユニットと、
前記第２の検出ユニットによって第２の無線フレームが検出されると、前記第２の無線フレームに担持される上り・下り識別情報を取得するように構成される第１の取得ユニットと、
少なくとも前記上り・下り識別情報に基づき、前記第２の無線フレームの帰属状況を判定し、前記第２の無線フレームの帰属状況に基づき、自身のネットワーク割付ベクトルを更新するか否かを判定するように構成される第２の更新ユニットと、
を備える無線フレームの処理装置を更に提供する。
【００２７】
例示的な実施形態において、前記第２の更新ユニットは、前記帰属状況によって、前記第２の無線フレームが自身の所属するマルチ基本サービスセットＢＳＳセットの外部無線フレームであることが表示された場合、自身のネットワーク割付ベクトルを更新し、前記帰属状況によって、前記第２の無線フレームが自身の所属ＢＳＳの内部無線フレームであることが表示された場合、自身のネットワーク割付ベクトルを更新しないように構成される。
【００２８】
本実施例は、
第３の無線フレームを検出するように構成される第３の検出ユニットと、
前記第３の検出ユニットによって前記第３の無線フレームが検出されると、前記第３の無線フレームがフレーム間インターバルの後に後続の無線フレームの送信を要求するか否か、及び自身が後続の応答フレームを送信する送信条件に満たすか否かを判断するように構成される第２の判断ユニットと、
前記第３の無線フレームが前記フレーム間インターバルの後に後続の無線フレームの送信を要求し、且つ自身が前記送信条件に満たしていない場合、前記第３の無線フレームを受信し、自身のネットワーク割付ベクトルを更新させるように構成される第３の更新ユニットと、を備える無線フレームの処理装置を提供する。
【００２９】
例示的な実施形態において、前記第２の判断ユニットは、前記第３の無線フレームに対して物理／仮想キャリア検出を行うように構成される。ここで、検出結果は、物理キャリア検出がビジーであること、仮想キャリア検出がビジーであること、またはフレーム間インターバルにおいて検出されたエネルギーがプリセット閾値よりも高いことを表明した場合、自身が前記送信条件に満たさないことを表明する。
【発明の効果】
【００３０】
本実施例は、コンピュータ実行可能コマンドが記憶され、前記コンピュータ実行可能コマンドが実行されると上記無線フレームの処理方法が実現されるコンピュータ読み取り可能記憶媒体を更に提供する。
【００３１】
本実施例は、第１の無線フレームを検出すると、自身が関連状態にあるか否かを判断し、関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、自身のネットワーク割付ベクトルを更新し、非関連状態であれば、自身のネットワーク割付ベクトルを更新する、無線フレームの処理方法および装置を提供する。このことから分かるように、本実施例に係る無線フレームの処理方法によれば、マルチＢＳＳシーンおよび未関連サイトの検出の最適化に対処して、サイトが適切な仮想キャリアまたは物理キャリア検出パラメータを用いて無線フレームを検出・受信可能となるような無線フレームの処理方法が提供されている。
【００３２】
図面及び詳細な説明を閲読して理解すると、他の態様も理解できる。
【図面の簡単な説明】
【００３３】
【図１】１つのＢＳＳの構造模式図である。
【図２−１】無線フレームの処理方法のフローチャートである。
【図２−２】ＶＨＴ無線フレームのフレーム構造の模式図である。
【図３−１】別の無線フレームの処理方法のフローチャートである。
【図３−２ａ】ＨＥシングルユーザフォーマットの無線フレームのフレーム構造の模式図である。
【図３−２ｂ】ＨＥシングルユーザフォーマットの無線フレームのフレーム構造の模式図である。
【図３−３】ＨＥマルチユーザフォーマットの無線フレームのフレーム構造の模式図である。
【図３−４】ＨＥトリガフォーマットの無線フレームのフレーム構造の模式図である。
【図４】別の無線フレームの処理方法のフローチャートである。
【図５】無線フレームの処理装置の構造模式図である。
【図６】別の無線フレームの処理装置の構造模式図である。
【図７】別の無線フレームの処理装置の構造模式図である。
【発明を実施するための形態】
【００３４】
以下は、図面を参照しながら本発明の実施形態について説明する。
【００３５】
本実施例は、第１のサイトに適用可能な無線フレームの処理方法を提供する。図１に示すように、第１のサイトは、ｎｏｎ−ＡＰサイトであってもよいし、高効率（ＨＥ：Ｈｉｇｈ  Ｅｆｆｉｃｉｅｎｔ）サイトであってもよく、検出された無線フレームの帰属および属性を判断して、次の無線フレームに対する処理を判断することができる。第１のサイトがＡＰに関連してもよく、その際、第１のサイトは関連状態にあり、第１のサイトがＡＰに関連しなくてもよく、その際、第１のサイトは非関連状態にある。
【００３６】
ところで、図２−１に示すように、上述した方法は、以下のステップを含む。
【００３７】
Ｓ２０１において、第１の無線フレームを検出する。
【００３８】
ここで、第１の無線フレームは、スーパーハイスループット（ＶＨＴ：Ｖｅｒｙ  ｈｉｇｈ  ｔｈｒｏｕｇｈｐｕｔ）フォーマットの無線フレーム、例えばＶＨＴシングルユーザ無線フレームまたはマルチユーザ無線フレームであってもよい。図２−２に示すように、当該フレームの物理レイヤフレームヘッドには、従来のトレーニングフィールド、従来のシグナリングフィールド、ＶＨＴシグナリングフィールド、およびＶＨＴトレーニングフィールドが存在してもよい。そのうち、シグナリングフィールドにグループ識別子（ＧＩＤ、Ｇｒｏｕｐ  Ｉｄｅｎｔｉｆｉｅｒ）情報が担持されていてもよく、ＧＩＤが０である場合、当該無線フレームは、ＡＰに送信された上り無線フレームである。好ましくは、シグナリングフィールドには一部の関連識別フィールドも含んでもよく、当該一部の関連識別フィールドに第１の属性情報が担持されている。
【００３９】
Ｓ２０２において、自身が関連状態にあるか否かを判断し、ＹＥＳであれば、Ｓ２０３に移行し、ＮＯであれば、Ｓ２０５に移行する。
【００４０】
ここで、第１のサイトは無線フレームを傍受することができるため、第１のサイトは、第１の無線フレームを検出すると、自身が関連状態にあるか否かを判断することができ、例えば、自身のサイトの属性情報を取得し、サイトの属性情報に基づき、自身がｎｏｎ−ＡＰサイトであるか否か、および１つのＡＰサイトに関連しているか否かを判断することができる。
【００４１】
Ｓ２０３において、関連状態であれば、第１の無線フレームに担持される第１の属性情報、及び自身に関連付けられる第１のＡＰサイトに対応する第２の属性情報に基づき、第１の無線フレームの帰属状況を判断する。
【００４２】
好ましくは、実際の適用において、第１のサイトは、第１のＡＰサイトに関連し、第１のＢＳＳを確立することができ、第２のサイトは、第２のＡＰサイトに関連し、第２のＢＳＳを確立することができ、第１のＢＳＳと第２のＢＳＳとは同じマルチＢＳＳセットに属してもよい。ここで、ＢＳＳの識別情報であるＢＳＳ  ＩＤで各ＢＳＳを示すため、マルチＢＳＳセットは、マルチＢＳＳ  ＩＤセットであってもよい。
【００４３】
その際、第１のサイトは、自身のサイトの属性情報に基づき、ｎｏｎ−ＡＰサイトであること、且つ第１のＡＰサイトに関連したことを判定した後に、第１のＡＰサイトに対応する第２の属性情報、例えば第１のＡＰサイトの一部のＢＳＳ  ＩＤ情報、またはマルチＢＳＳセットに対するシーンを取得することができる。第２の属性情報は、上記マルチＢＳＳ  ＩＤセットにおけるいずれかのＢＳＳ  ＩＤの一部のＢＳＳ  ＩＤ情報であってもよい。そして、第１の無線フレームに担持される第１の属性情報、例えば第１の無線フレームの受信側のＡＰサイトの一部のＢＳＳ  ＩＤ情報と上記第２の属性情報とを比較して、第１の無線フレームの帰属状況を判断することができる。例えば、第２のサイトから関連付けられた第２のＡＰサイトへ送信した無線フレームである場合、第１の無線フレームは、第２のＡＰサイトの一部のＢＳＳ  ＩＤ情報と上記マルチＢＳＳ  ＩＤセットにおけるいずれかのＢＳＳ  ＩＤの一部のＢＳＳ  ＩＤ情報との照合を行い、第２のＡＰサイトの一部のＢＳＳ  ＩＤ情報とマッチングする一部のＢＳＳ  ＩＤ情報が存在する場合、第１の無線フレームが自身の所属ＢＳＳの内部無線フレームであると判断し、第２のＡＰサイトの一部のＢＳＳ  ＩＤ情報とマッチングする一部のＢＳＳ  ＩＤ情報が存在しない場合、第１の無線フレームが自身の所属ＢＳＳの内部無線フレームではないと判断する。
【００４４】
なお、通常、第１の無線フレームを受信すると、第１のサイトは、当該無線フレームがＶＨＴフレームフォーマットの無線フレームであるか否か、且つ上り・下りを示すためのＧＩＤ情報を含むか否かを判断することができ、第１の無線フレームがＶＨＴフォーマットの無線フレームであり、且つＧＩＤ情報が上り無線フレームを示した場合に限り、当該第１の無線フレームに一部のＢＳＳ  ＩＤ情報が担持可能となる。
【００４５】
Ｓ２０４において、第１の無線フレームの帰属状況に基づき、第１のプリセットルールに従ってキャリア検出を行う。
【００４６】
ここで、第１のサイトは、第１の無線フレームの帰属状況を判定し、第１の無線フレームが自身の所属するＢＳＳセットの内部無線フレームであると判定した場合、第１の閾値を用いて物理キャリア検出を行い、自身のＢＳＳの内部ネットワーク割付ベクトルを更新することができる。好ましくは、第１のサイトは、ＢＳＳの内部物理キャリア閾値である第１の閾値を用いて現在チャンネルのビジー・アイドルを判断することができ、そして第１の無線フレームに担持される予約チャンネル時間情報を用いて自身のＢＳＳの内部ネットワーク割付ベクトルを更新することができる。逆に、帰属状況よって、第１の無線フレームが自身の所属ＢＳＳの外部無線フレームであることが表示された場合、第２の閾値を用いて物理キャリア検出を行い、自身の共通ネットワーク割付ベクトルを更新することができる。ここで、第１の閾値は第２の閾値以下であってもよい。
【００４７】
実際の適用において、自身のＢＳＳの内部ネットワーク割付ベクトルを更新するとは、第１の無線フレームに担持される予約チャンネル時間情報が自身のＢＳＳの内部ネットワーク割付ベクトルよりも大きい場合、自身のＢＳＳの内部ネットワーク割付ベクトルを予約チャンネル時間情報の値とし、即ち、自身のＢＳＳの内部ネットワーク割付ベクトルと受信した予約チャンネル時間情報とを比較し、両者のうちの大きい値を自身のＢＳＳの内部ネットワーク割付ベクトルの値とすることを指す。同様に、自身の共通ネットワーク割付ベクトルを更新するとは、第１の無線フレームに担持される予約チャンネル時間情報が自身の共通ネットワーク割付ベクトルよりも大きい場合、共通ネットワーク割付ベクトルを予約チャンネル時間情報の値とし、即ち、共通ネットワーク割付ベクトルと受信した予約チャンネル時間情報とを比較し、両者のうちの大きい値を共通ネットワーク割付ベクトルの値とすることを指す。
【００４８】
なお、一般的には、第１のサイトは、ｎｏｎ−ＡＰサイトであってもよく、２つのネットワーク割付ベクトルタイマーであるＢＳＳの内部ネットワーク割付ベクトル（ｉｎｔｒａ−ＢＳＳ  ＮＡＶ）及び共通ネットワーク割付ベクトル（ＮＡＶ、Ｎｅｔｗｏｒｋ  Ａｌｌｏｃａｔｉｏｎ  Ｖｅｃｔｏｒ）を保持することができるため、第１のサイトは第１のプリセットルールまたは第２のプリセットルールに従ってキャリア検出を行って第１の無線フレームがＢＳＳ内部無線フレームであると判定した場合、ＢＳＳの内部ネットワーク割付ベクトルを更新してもよい。その逆の場合に、共通ネットワーク割付ベクトルを更新してもよい。
【００４９】
特に、第１のサイトは、ネットワーク割付ベクトルタイマーである共通ネットワーク割付ベクトルを一つだけ保持することができるため、ＢＳＳの内部ネットワーク割付ベクトルの更新と共通ネットワーク割付ベクトルの更新とは差異がなく、いずれも共通ネットワーク割付ベクトルの更新である。
【００５０】
Ｓ２０５において、非関連状態であれば、第２のプリセットルールに従ってキャリア検出を行う。
【００５１】
好ましくは、ＷＬＡＮネットワークにおいて、ｎｏｎ−ＡＰサイトがＡＰに関連づけられると、一般的に、ｎｏｎ−ＡＰサイトを関連状態と呼ぶことができ、その際、ｎｏｎ−ＡＰサイトは、自身に関連したネットワークの属性、例えばＢＳＳ  ＩＤ、ＢＳＳ  Ｃｏｌｏｒなどの属性情報を分かることができる。しかし、第１のサイトは、第１の無線フレームを検出した後に、自身がいずれかのＡＰサイトに関連していない、または関連しようとするターゲットＡＰサイトが存在しないと判断し、つまり、自身が非関連状態にあると判断した場合、上記第１の閾値に応じて物理キャリア検出を行い、自身の共通ネットワーク割付ベクトル及び／またはＢＳＳの内部ネットワーク割付ベクトルを更新することができる。
【００５２】
好ましくは、どちらのネットワーク割付ベクトルタイマーを更新するかをどのように判定することは、プロトコルにより予め定義されてもよい。例えば、本分野における既有のトランスミッションとネットワークをよく保護するために、第１のサイトは、共通ＮＡＶ及びｉｎｔｒａ−ＢＳＳ  ＮＡＶを同時に更新し、或いは、関連要求などの操作を快速に行うことができるように、ｉｎｔｒａ−ＢＳＳ  ＮＡＶのみを更新させてもよい。このように、必要に応じて、第１のサイトはＮＡＶ設定を無視してもよく、第１のＡＰサイトから送信されたトリガに応答して関連操作を行うことなどについては、本実施例において限定しない。
【００５３】
好ましくは、第１のサイトから送信された無線フレームは何れかのネットワークにも参加していないので、ネットワーク識別子を特殊な値としてもよい。例えば、第１のサイトからＶＨＴフォーマットの無線フレームが送信された場合、一部のＢＳＳ  ＩＤまたは一部の関連識別子（ＡＩＤ、Ａｓｓｏｃｉａｔｉｏｎ  ＩＤ）を０とし、第１のサイトからＨＥフォーマットの無線フレームが送信された場合、ＢＳＳ  Ｃｏｌｏｒの値を０としてもよく、本実施例において限定しない。
【００５４】
上記実施例によって、マルチＢＳＳシーンおよび未関連サイトの検出の最適化について、サイトが適切な仮想キャリアまたは物理キャリア検出パラメータを用いて無線フレームを検出・受信可能となるような無線フレームの処理方法を提供した。
【００５５】
上述した実施例に係る無線フレームの処理方法に基づき、実際の適用における実施例で当該方法について説明する。
【００５６】
ＷＬＡＮネットワークでは、１つの機器は、複数のＡＰサイトを仮想化して複数のサイトと通信することができる。例えば、ＡＰ１はサイト１〜サイト５に関連してＢＳＳ１を構成し、そのＢＳＳ  ＩＤがＡＰ１に対応するメディアアクセスコントロール（ＭＡＣ：Ｍｅｄｉａ  Ａｃｃｅｓｓ  Ｃｏｎｔｒｏｌ）アドレスであり、ＢＳＳ  ＩＤ１と記され、ＡＰ２はサイト６〜サイト１０に関連してＢＳＳ２を構成し、ＢＳＳ２のＢＳＳ  ＩＤがＡＰ２に対応するＭＡＣアドレスであり、ＢＳＳ  ＩＤ２と記される。ここで、ＢＳＳ  ＩＤ１とＢＳＳ  ＩＤ２は１つのマルチＢＳＳ  ＩＤセット（Ｍｕｌｔｉｐｌｅ  ＢＳＳ  ＩＤ  ｓｅｔ）であり、ＢＳＳ  ＩＤ１とＢＳＳ  ＩＤ２の値は、特定ビットでの内容だけが異なり、残りがすべて同じである。仮に、ＢＳＳ  ＩＤ１とＢＳＳ  ＩＤ２とはいずれも４８ビットであれば、両者には第Ｎ番目のビットだけが異なり、例えばＮ＝４、ｂ０〜ｂ３ビットが異なり、そのうち、ｂ０は第０番目のビットで、最低ビットであり、ｂ４７は最高ビットである。２つのＢＳＳ、及び２つのＡＰと表現されているが、実際の機器及び送受信モジュールが１つを共用するので、従来の多重メカニズムはｍｕｌｔｉｐｌｅ  ＢＳＳ  ＩＤ  ｓｅｔの場合に使用できず、例えばサイト１がＡＰ１にデータを送信すると、ＡＰ２は実際に他の無線フレームを受信する仕方がないので、ＡＰ２は、その場合にサイト６〜サイト１０と通信できず、従来の多重メカニズム下で、２つのＡＰが２つの機器であれば、空間多重などのメカニズムで同時に自身に関連したサイトと通信することができる。
【００５７】
仮に、サイト１とサイト６がＨＥサイト、サイト２とサイト７がＶＨＴサイトであれば、サイト２とサイト７が送信した無線フレーム、つまり、物理レイヤプロトコルデータユニット（ＰＰＤＵ、ＰＨＹ−ｌａｙｅｒ  Ｐｒｏｔｏｃｏｌ  Ｄａｔａ  Ｕｎｉｔ）はＶＨＴフォーマットを使用し、ＶＨＴシングルユーザ無線フレームとマルチユーザ無線フレームは、同一の物理レイヤフレームヘッド構造を有する。上記マルチＢＳＳ  ＩＤのシーンに対して、ＡＰ１、ＡＰ２が所在する機器は、送信したビーコンフレームにおいてネットワークにおけるサイト１〜サイト１０に報知し、ＡＰ１とＡＰ２が１つのマルチＢＳＳ  ＩＤセットに属し、ＢＳＳ  ＩＤ１とＢＳＳ  ＩＤ２の値を報知する。
【００５８】
なお、完全なＢＳＳ  ＩＤは４８ビットであり、６バイトに分けられる（バイトごとに８ビットがある）。ＢＳＳ  ＩＤは、無線媒体伝送時、高いバイトを伝送した後に低いバイトを伝送し、１つのバイトにおいて低いビットを伝送した後に高いビットを伝送し、一部のＢＳＳ  ＩＤ情報は、上記ＢＳＳ  ＩＤが最終に伝送したＭビットを切り出すものであり、Ｍ＝９の場合、一部のＢＳＳ  ＩＤがＢＳＳ  ＩＤ［３９：４７］と記され、ビットの順位に応じて、実際にＢＳＳ  ＩＤのｂ１５、ｂ０、ｂ１、ｂ２、ｂ３、ｂ４、ｂ５、ｂ６、ｂ７に対応し、上記説明によれば、マルチＢＳＳ  ＩＤシーンにおいて２つのＢＳＳのＢＳＳ  ＩＤのうちのｂ０〜ｂ３ビットが異なる場合、サイト２から送信された無線フレームに担持される一部のＢＳＳ  ＩＤ情報とサイト７に担持される一部のＢＳＳ  ＩＤ情報とが異なっているが、両者の受信側が同じ機器である。
【００５９】
サイト７は、上りのＶＨＴフォーマットの無線フレームをＡＰ２へ送信し、前記ＶＨＴフォーマットの無線フレームの物理レイヤシグナリングフィールドＶＨＴ−ＳＩＧ（ＶＨＴ  ｓｉｇｎａｌｉｎｇ  ｆｉｅｌｄ）において、図２−２に示すＶＨＴシグナリングフィールドＡにＧＩＤフィールドが担持されている。ＧＩＤフィールドを０としてＡＰへ送信されたシングルユーザ上り無線フレームを表示した場合、ＶＨＴシグナリングフィールドＡに一部の関連識別子（ｐａｒｔｉａｌ  ＡＩＤ）フィールドがさらに担持されている。ｐａｒｔｉａｌ  ＡＩＤフィールドは、サイト７に関連したＡＰの一部のＢＳＳ  ＩＤ情報であるＡＰ２の一部のＢＳＳ  ＩＤ情報、例えばＢＳＳ  ＩＤ２の上記特定ビットとする。
【００６０】
そのため、まず、サイト１は、上記サイト７から送信されたＶＨＴ無線フレームを検出すると、ＶＨＴシグナリングフィールドにおいて無線フレームの属性を取得することができる。そして、サイト１は、自身のサイト属性及びネットワーク属性を取得し、取得したサイト属性及びネットワーク属性に基づき、自身がｎｏｎ−ＡＰサイトであるか否か、且つＡＰ１に関連しているか否かを判断することができ、自身がｎｏｎ−ＡＰサイトであり、且つＡＰ１に関連すれば、ＡＰ１がマルチＢＳＳ  ＩＤセットに属するか否かを判断することができ、マルチＢＳＳ  ＩＤセットに属すれば、サイト１は当該マルチＢＳＳ  ＩＤセットにおいてＡＰ１以外、ＡＰ２もあることを分かることができ、且つＢＳＳ  ＩＤ１とＢＳＳ  ＩＤ２を分かることができ、したがって、一部のＢＳＳ  ＩＤ１と一部のＢＳＳ  ＩＤ２を分かることができる。
【００６１】
次に、サイト１は、無線フレームに担持される一部のＢＳＳ  ＩＤ情報と、既知のサイト１に関連したＡＰ１の所在マルチＢＳＳ  ＩＤセットにおけるいずれかのＢＳＳ  ＩＤの一部のＢＳＳ  ＩＤ情報との照合を行い、無線フレームに担持される一部のＢＳＳ  ＩＤ情報が上記いずれかのＢＳＳ  ＩＤの一部のＢＳＳ  ＩＤ情報とマッチングした場合、サイト１は、前記第１の無線フレームがＢＳＳの内部無線フレームであることを判定することができる。その際、サイト１とサイト７とが異なるＢＳＳに属するが、両者に関連したＡＰが同じマルチＢＳＳ  ＩＤセットに属するので、サイト１は、サイト７から送信されたＶＨＴフレームを検出し、当該ＶＨＴフレームを同じＢＳＳ内のサイトから送信されたフレームと見なすことができる。
【００６２】
好ましくは、サイト１は、ＢＳＳの内部物理キャリアを用いて閾値を検出してビジー・アイドル状態を判断し、無線フレームに担持される予約チャンネル時間情報に基づいて自身のネットワーク割付ベクトルを更新することもできる。例えば、無線フレームに担持される予約時間が現在のＮＡＶタイマーの値よりも大きい場合、無線フレームにおける予約時間情報を用いてＮＡＶを更新することができる。また、サイト１が２つのＮＡＶタイマー、１つの共通ＮＡＶまたはＢＳＳ同士（ｉｎｔｅｒ−ＢＳＳ）のＮＡＶ、１つのｉｎｔｒａ−ＢＳＳ  ＮＡＶを保持すれば、サイト１は、サイト７の無線フレームを受信した後に、ｉｎｔｒａ−ＢＳＳ  ＮＡＶを更新することができる。
【００６３】
上述した実施例に係る無線フレームの処理方法に基づき、実際の適用における別の実施例で当該方法について説明する。
【００６４】
ＷＬＡＮネットワークにおいて、ＡＰに関連すると、ｎｏｎ−ＡＰサイトは、一般的に、関連状態と呼ばれてもよい。その際、ｎｏｎ−ＡＰサイトは、自身に関連したネットワークの状況、例えばＢＳＳ  ＩＤ、Ｃｏｌｏｒなどの情報を分かることができるが、サイトが動作を開始する時に、一般的に、未関連状態にあることを可能となる。
【００６５】
そのため、サイトは、無線フレームを検出すると、自身がいずれかのＡＰに関連付いていない、または関連しようとするターゲットＡＰがないと判定した場合、ＢＳＳの内部物理キャリア検出閾値を用いてサイトの無線フレームを検出し、サイトの共通ネットワーク割付ベクトル及び／またはＢＳＳの内部ネットワーク割付ベクトルを更新することができる。
【００６６】
ここで、サイトが用いたＢＳＳの内部物理キャリア検出閾値は、プロトコルにより予め定義された値、例えば−８２ｄＢｍまたはより小さい値であってもよく、未関連サイトが高い閾値を用いてチャンネルを占有して既有のネットワークを干渉することを回避する。上記ＢＳＳの内部物理キャリア検出閾値は、他の値であってもよく、本実施例において限定されていない。
【００６７】
好ましくは、ＡＰに関連していないが、あるＡＰサイトが検出され、かつ当該ＡＰに関連しようとするサイトが検出された場合、処理方法としては、それらの未関連サイトは、関連しようとするＡＰのＢＳＳが自身のＢＳＳであると考えてもよく、即ち、当該サイトが当該ＡＰに関連していないが、上記実施例に記載された関連済みサイトの処理方法を用いて無線フレームを処理するものであってもよい。
【００６８】
また、未関連サイトから送信された無線フレームは、何れのネットワークにも参加していないため、ネットワーク識別子を特殊な値とすることができ、例えば、送信したのはＶＨＴフォーマットの無線フレームであれば、ｐａｒｔｉａｌ  ＢＳＳ  ＩＤ／ＡＩＤを０、送信したのはＨＥフォーマットの無線フレームであれば、ＢＳＳ  Ｃｏｌｏｒの値を０とすることができる。
【００６９】
上述した実施例に基づき、本実施例は、アクセスポイントサイトに適用される別の無線フレームの処理方法を更に提供する。
【００７０】
図３−１に示すように、上記方法は、以下のステップを含む。
【００７１】
Ｓ３０１において、第２の無線フレームを検出する。
【００７２】
Ｓ３０２において、第２の無線フレームに担持される上り・下り識別情報を取得する。
【００７３】
ここで、第２の無線フレームはＶＨＴフォーマットの無線フレームであれば、上記上り・下り識別情報はＧＩＤであってもよく、例えば、ＧＩＤが０の場合、第２の無線フレームが上り無線フレームであることを示す。第２の無線フレームはＨＥシングルユーザフォーマットまたはマルチユーザフォーマットの無線フレームであれば、上記上り・下り指示識別は、ＵＬ  ｆｌａｇ情報またはＵＬ／ＤＬ指示情報であってもよく、且つ上りを示す。第２の無線フレームはＨＥトリガフォーマットによる無線フレームであってもよく、本実施例において限定されていない。
【００７４】
本発明の他の実施例において、第２の無線フレームがＶＨＴシングルユーザフォーマットの無線フレームであれば、上り・下り指示識別はＧＩＤであってもよく、且つＧＩＤ＝６３の場合、下りシングルユーザ無線フレームを示し、ＧＩＤが１〜６２の場合、下りマルチユーザ無線フレームを示し、第２の無線フレームがＶＨＴマルチユーザフォーマットの無線フレームであれば、下り無線フレームの送信のみを許可することができ、第２の無線フレームがＨＥシングルユーザフォーマットまたはＨＥマルチユーザフォーマットの無線フレームであれば、上り・下り指示識別はＵＬ  ｆｌａｇ情報であってもよく、且つ下がりを示し、本実施例において限定されていない。
【００７５】
なお、上記ＨＥフォーマットの無線フレームのフォーマットは、図３−２ａ及び図３−２ｂに示すＨＥシングルユーザフォーマット、図３−３に示すＨＥマルチユーザフォーマット、及び図３−４に示すＨＥトリガフォーマットを含んでもよい。ここで、ＨＥシングルユーザフォーマットは、更に図３−２ａに示す基本フォーマットと３−２ｂに示す拡張フォーマットに分けられてもよく、拡張フォーマットは繰り返しＨＥシグナリングフィールドを送信し、信頼性とカバー性を拡張することができる。ＨＥマルチユーザフォーマットは一般的にＡＰにより複数のｎｏｎ−ＡＰステーション（ＳＴＡ、ＳＴＡｔｉｏｎ）へ同時に下り送信されることができ、ｎｏｎ−ＡＰ  ＳＴＡがＨＥマルチユーザフォーマットの無線フレームを送信することも許可するが、データ負荷などの一部が１つだけがあり、即ちマルチユーザフォーマットを用いてシングルユーザの情報を送信することを要求する。ＨＥトリガフォーマットとは、複数のｎｏｎ−ＡＰ  ＳＴＡがデータをＡＰサイトへ同時に上り送信する。
【００７６】
Ｓ３０３において、少なくとも上り・下り識別情報に基づき、第２の無線フレームの帰属状況を判定する。
【００７７】
好ましい実施形態において、アクセスポイントサイトは、Ｓ３０１の後に、第２の無線フレームに担持されるネットワーク識別情報を取得することができる。ここで、ネットワーク識別情報は、第２の無線フレーム送信側のネットワーク識別情報であってもよい。好ましくは、上記ネットワーク識別情報は、ＢＳＳ  ＩＤ情報、ｐａｒｔｉａｌ  ＢＳＳ  ＩＤ／ＡＩＤ情報、ＢＳＳ  Ｃｏｌｏｒ情報、またはｐａｒｔｉａｌ  ＢＳＳ  Ｃｏｌｏｒ情報であってもよい。
【００７８】
対応的に、Ｓ３０３は、り・下り識別情報およびネットワーク識別情報に基づき、第２の無線フレームの帰属状況を判定することを含んでもよい。
【００７９】
好ましくは、上り・下り識別情報に基づき、第２の無線フレームが上り無線フレームであると判定すると、ネットワーク識別情報と、自身のネットワーク識別情報及び自身の所属するマルチＢＳＳセットにおけるいずれかのネットワーク識別情報との照合を行う。ここで、マッチングに成功した場合、第２の無線フレームが自身の所属ＢＳＳの内部無線フレームであると判定し、マッチングに失敗した場合、第２の無線フレームがマルチＢＳＳセットの外部無線フレームであると判定する。
【００８０】
本発明の他の実施例において、前記上り・下り識別情報に基づき、前記第２の無線フレームが下り無線フレームであると判定すると、上記ネットワーク識別情報がアクセスポイントサイト自身の所属するマルチＢＳＳセットにおけるいずれかのネットワーク識別情報とマッチングするにも拘らず、前記第２の無線フレームが自身の所属ＢＳＳの外部無線フレームであると判定することができる。
【００８１】
Ｓ３０４において、第２の無線フレームの帰属状況に基づき、自身のネットワーク割付ベクトルを更新する。
【００８２】
ここで、Ｓ３０４は、帰属状況によって、第２の無線フレームがアクセスポイントの所属するマルチＢＳＳセットの外部無線フレームであることが表示された場合、自身の共通ネットワーク割付ベクトルを更新し、帰属状況によって、第２の無線フレームが自身の所属ＢＳＳ的の内部無線フレームであることが表示された場合、自身のネットワーク割付ベクトルを更新しないことを含んでもよい。
【００８３】
例えば、ＡＰサイトが検出／受信した第２の無線フレームに上り・下り指示識別が担持されていることから、当該無線フレームがＡＰサイトへ上り送信された無線フレームであるか否かを判断することができる。好ましくは、第２の無線フレームに担持されるネットワーク識別情報によって上記ＡＰサイトがターゲットＡＰサイトであるか否かを判断し、両者とも満たす場合、ＡＰサイトは、当該無線フレームが自身の確立したネットワーク内のサイトから自身へ送信された無線フレームであることを判断することができ、特に、マルチＢＳＳ  ＩＤセットのシーンで、第２の無線フレームに担持されるネットワーク識別情報がネットワーク識別マルチＢＳＳ  ＩＤセットにおけるいずれかのネットワーク識別とマッチングすれば、当該ＡＰサイトは、当該フレームが自身へ送信されるものであることを判断することができ、その際、ネットワーク割付ベクトルを更新する必要がない。
【００８４】
上述した実施例に係る無線フレームの処理方法に基づき、実際の適用における実施例で当該方法について説明する。
【００８５】
ＷＬＡＮネットワークにおいて、ＡＰサイトは特殊なサイトとして、ＡＰサイトに関連したｎｏｎ−ＡＰサイトは、一般的にＡＰサイトと通信する必要があり、ＡＰサイトが無線フレーム帰属を検出・判断することは、ｎｏｎ−ＡＰサイトと異なってもよい。
【００８６】
好ましくは、ＡＰは、無線フレームを検出し、ネットワーク識別及び／または上り・下り識別に基づいて自身の処理形態を判定することができ、例えばＡＰは、自身が確立したネットワーク内のサイトから自身へ送信された無線フレームを検出した際、ネットワーク割付ベクトルを更新しなくてもよい。
【００８７】
例えば、ＡＰサイトは、受信した無線フレームに担持される上り・下り指示識別に基づき、当該無線フレームがＡＰへ上り送信されるものであるか否かを判断することができ、無線フレームに担持されるネットワーク識別情報によって上記ＡＰがターゲットＡＰであるか否かを判断することができ、当該無線フレームがＡＰへ上り送信されるもので、且つ上記ＡＰがターゲットＡＰであれば、ＡＰは、当該無線フレームが自身の確立したネットワーク内のサイトから自身へ送信された無線フレームであることを判断することができる。また、マルチＢＳＳ  ＩＤシーンの場合、無線フレームに担持されるネットワーク識別情報がネットワーク識別マルチＢＳＳ  ＩＤセットにおけるいずれかのネットワーク識別とマッチングした場合、ＡＰサイトは、当該フレームが自身へ送信されるものであることを判断することができる。
【００８８】
また、ＡＰサイトは、下り送信された無線フレーム、即ち一般的にＡＰにより送信された無線フレームを検出した場合、当該無線フレームが他のネットワークから送信され、或いは本ネットワークの直接接続サイト間に送信された無線フレームであることをほぼ判定することができる。その際、ＡＰサイトは自身のネットワーク割付ベクトルを更新することができる。
【００８９】
上述した実施例に基づき、本実施例は、別の無線フレームの処理方法を更に提供し、図４に示すように、当該方法は、以下のステップを含む。
【００９０】
Ｓ４０１において、第３の無線フレームを検出する。
【００９１】
ここで、第３の無線フレームは、上りマルチユーザ伝送をトリガするためのトリガフレームまたはトリガ情報を含んでもよい。
【００９２】
Ｓ４０２において、第３の無線フレームがフレーム間インターバルの後に後続の無線フレームの送信を要求するか否か、および自身が後続の応答フレームを送信する送信条件に満たすか否かを判断する。
【００９３】
ここで、上記フレーム間インターバルは、ショットフレーム間インターバル（ＳＩＦＳ、Ｓｈｏｒｔ  ｉｎｔｅｒｆｒａｍｅ  ｓｐａｃｅ）であってもよく、後続の無線フレームは、無線フレームの応答フレームまたはサイトにより開始されるフレーム交換の新たな送信フレームであってもよい。
【００９４】
ここで、自身が後続の応答フレームを送信する送信条件に満たすか否かを検出するとは、物理／仮想キャリア検出を行うことを含む。検出結果は、物理キャリア検出がビジーであること、仮想キャリア検出がビジーであること、またはフレーム間インターバルにおいて検出されたエネルギーがプリセット閾値以上であることを表明した場合、自身が送信条件に満たさないことを表明する。
【００９５】
Ｓ４０３において、第３の無線フレームがフレーム間インターバルの後に後続の無線フレームの送信を要求し、且つ自身が送信条件に満たしていない場合、第３の無線フレームを受信し、自身のネットワーク割付ベクトルを更新する。
【００９６】
好ましくは、サイトは、無線フレームがサイトのフレーム間インターバルの後に後続の無線フレームの送信を要求すると判定し、且つサイトは後続の応答フレームを送信する条件に満たしていないと判定した場合、サイトは無線フレームを受信し、自身のＮＡＶを更新する。
【００９７】
本発明の他の実施例において、第３の無線フレームを検出すると、上記方法は、自身が伝送チャンス所有者であるか否かを判断し、ＹＥＳであれば、自身のネットワーク割付ベクトルを更新することを更に含む。
【００９８】
つまり、サイトが伝送チャンス所有者サイトであれば、無線フレームはサイトへ送信された無線フレームであり、サイトが無線フレームの処理方式を判定することは、サイトが無線フレームを受信し、無線フレームはサイトがフレーム間インターバルの後に後続の無線フレームの送信を要求することにも拘らず、且つサイトは後続の応答フレームを送信する条件に満たすにも拘らず、ＮＡＶを更新しないことを含む。
【００９９】
本発明の他の実施例において、第３の無線フレームを検出すると、方法は、第３の無線フレームに対して即座に応答する必要があるか否かを判断することを含み、第３の無線フレームは、伝送チャンス所有者のサイトにより送信されるものであり、第３の無線フレームに対して即座に応答する必要がある場合、自身のネットワーク割付ベクトルを更新せず、第３の無線フレームに対して即座に応答する必要がない場合、自身のネットワーク割付ベクトルを更新する。
【０１００】
好ましくは、ＷＬＡＮにおいて、複数のサイトのうちの各サイトは、無線チャンネルリソースを共有し、一般的に、チャンネルリソースの取得に成功したサイトを伝送チャンス所有者またはサービス所有者と呼び、一般的に、それらのリソース取得側のサイトが伝送の権利を取得した際に、物理キャリア検出及び仮想キャリア検出メカニズムにおいて一定の特権を享有する。本実施例において、リソース取得側が無線フレームを検出し、無線フレームのネットワーク識別がサイトのネットワーク識別と同等であり、受信側識別がサイトの識別と同等であり、即ち、リソース取得側が検出した無線フレームは、自身と通信するサイトから自身へ送信される無線フレームである場合、リソース取得側のサイトは、自身へ送信された無線フレームに応答するにも拘らず、ＮＡＶを更新しなくてもよく、他のサイトはＮＡＶの更新操作を行うことができる。また、伝送チャンスを例として、伝送チャンス応答側に対して、伝送チャンス所有者から送信された無線フレームに対して即座に応答する必要があるか否かに基づき、ＮＡＶを更新するか否かを判断することができ、例えば、応答の必要があれば、ＮＡＶを更新せず、応答の必要がない場合、ＮＡＶを更新する。
【０１０１】
上述した実施例に係る別の無線フレームの処理方法に基づき、実際の適用において、実施例で当該方法について説明する。
【０１０２】
通常、複数のｎｏｎ−ＡＰサイトがデータをアクセスポイントサイトに同時に送信することは上りマルチユーザ伝送と呼ばれ、当該伝送を成功させるために、一般的に、ＡＰがトリガフレームを複数のサイトに送信することを要求し、トリガフレームを受信した後に、複数のサイトがトリガフレームに応答して同時にデータをＡＰに送信する。しかし、複数のサイトから送信されたデータを他のネットワークに干渉させないため、一般的に、サイトがＡＰに応答する前に、キャリア検出を行って応答条件に満たすか否かを判断し、条件に満たしていない場合、ＡＰに応答しなくてもよく、その際、条件に満たさないサイトがネットワーク割付ベクトルを更新してもよい。
【０１０３】
例えば、ＡＰは、トリガフレームまたはトリガ情報を送信し、ＳＴＡ１〜ＳＴＡ４をトリガし、トリガフレームを受信した後に、ＳＩＦＳの後に上りマルチユーザ伝送を行い、ＳＴＡ１〜ＳＴＡ４が応答前にキャリア検出を行い、応答条件に満たすか否かを判断する。ＳＴＡ１が応答条件に満たしていない場合、応答を送信せず、ＳＴＡ１がトリガフレームに基づいてＮＡＶ、例えばＢＳＳの内部ＮＡＶを更新することができる。ＳＴＡ２〜ＳＴＡ４が応答条件に満たせば、上り送信を行い、ＳＴＡ２〜ＳＴＡ４がＮＡＶを更新しなくてもよい。
【０１０４】
同一の発明構想を基に、本実施例は、無線フレームの処理装置を更に提供し、図５に示すように、当該装置５０は、
第１の無線フレームを検出するように構成される第１の検出モジュール５１と、
第１の検出モジュールによって第１の無線フレームが検出されると、自身のサイトが関連状態にあるか否かを判断するように構成される第１の判断モジュール５２と、
関連状態であれば、第１の無線フレームに担持される第１の属性情報、及び自身に関連付けられる第１のアクセスポイントサイトに対応する第２の属性情報に基づき、第１の無線フレームの帰属状況を判定し、第１の無線フレームの帰属状況に基づき、第１のプリセットルールに従ってキャリア検出を行い、非関連状態であれば、第２のプリセットルールに従ってキャリア検出を行うように構成される第１の更新ユニット５３と、を備える。
【０１０５】
本発明の他の実施例において、第１の更新ユニットは、第１の無線フレームに担持される第１の属性情報を取得し、第１の属性情報および第１のアクセスポイントに対応する第２の属性情報に基づき、第１の無線フレームが自身の所属ＢＳＳの内部無線フレームであるか否かを判断し、第１の無線フレームの帰属状況を取得するように構成されてもよい。
ここで、第１の無線フレームは第２のサイトから関連付けられた第２のアクセスポイントサイトへ送信された無線フレームであり、第１のアクセスポイントサイトと第２のアクセスポイントサイトとが同じマルチ基本サービスセットＢＳＳセットに属する。
【０１０６】
本発明の他の実施例において、第１の更新ユニットは、第１の属性情報とマルチＢＳＳセットにおけるいずれかのＢＳＳの属性情報との照合を行い、第１の属性情報とマッチングする第２の属性情報が存在する場合、第１の無線フレームが自身の所属ＢＳＳの内部無線フレームであると判断し、第１の属性情報とマッチングする第２の属性情報が存在しない場合、第１の無線フレームが自身の所属ＢＳＳの内部無線フレームではないと判断するように設置されてもよい。
【０１０７】
本発明の他の実施例において、第１の更新ユニットは、帰属状況によって、第１の無線フレームが自身の所属ＢＳＳの内部無線フレームであることが表示された場合、第１の閾値を用いて物理キャリア検出を行い、自身のＢＳＳの内部ネットワーク割付ベクトルを更新し、前記帰属状況によって、前記第１の無線フレームが自身の所属ＢＳＳの外部無線フレームであることが表示された場合、第２の閾値を用いて物理キャリア検出を行い、自身の共通ネットワーク割付ベクトルを更新するように構成されてもよい。
ここで、前記第１の閾値は前記第２の閾値以下である。
【０１０８】
本発明の他の実施例において、第１の更新ユニットは、第１の無線フレームに担持される予約チャンネル時間情報に基づき、自身のＢＳＳの内部ネットワーク割付ベクトルまたは共通ネットワーク割付ベクトルを更新するように構成されてもよい。
【０１０９】
本発明の他の実施例において、第１の判断モジュールは、自身が１つのアクセスポイントサイトに関連しているか否か、或いは関連しようとするターゲットアクセスポイントサイトが存在するか否かを判断するように構成されてもよく、対応的に、第１の更新ユニットは、自身が１つのアクセスポイントサイトに関連していない、または関連しようとするターゲットアクセスポイントサイトが存在しない場合、第１の閾値に応じて物理キャリア検出を行い、自身の共通ネットワーク割付ベクトル及び／またはＢＳＳの内部ネットワーク割付ベクトルを更新するように構成されてもよい。
【０１１０】
本発明の他の実施例において、第１の更新ユニットは、自身の共通ネットワーク割付ベクトル及び／またはＢＳＳの内部ネットワーク割付ベクトルを更新するように構成されてもよい。
【０１１１】
ここで、上記装置実施例の説明が上記方法実施例の説明と類似するものであり、方法実施例と類似する有益な効果を有するため、繰り返し説明しない。本発明の装置実施例において開示されていない技術的詳細については、本発明の方法実施例の説明を参照しながら理解し、紙幅の都合上、繰り返し説明しない。
【０１１２】
同一の発明構想を基に、本実施例は、別の無線フレームの処理装置を提供する。図６に示すように、当該装置６０は、
第２の無線フレームを検出するように構成される第２の検出ユニット６１と、
第２の検出ユニットによって第２の無線フレームが検出されると、第２の無線フレームに担持される上り・下り識別情報を取得するように構成される第１の取得ユニット６２と、
少なくとも上り・下り識別情報に基づき、第２の無線フレームの帰属状況を判定し、第２の無線フレームの帰属状況に基づき、自身のネットワーク割付ベクトルを更新するように構成される第２の更新ユニット６３と、を備える。
【０１１３】
本発明の他の実施例において、第２の更新ユニットは、帰属状況よって、第２の無線フレームが自身の所属ＢＳＳの外部無線フレームであることが表示された場合、自身の共通ネットワーク割付ベクトルを更新し、帰属状況よって、第２の無線フレームが自身の所属ＢＳＳの内部無線フレームであることが表示された場合、自身のネットワーク割付ベクトルを更新しないように構成されてもよい。
【０１１４】
本発明の他の実施例において、上記装置は、第２の無線フレームに担持されるネットワーク識別情報を取得するように設置される第２の取得ユニットを更に備えてもよく、対応的に、第２の更新ユニットは、上り・下り識別情報およびネットワーク識別情報に基づき、第２の無線フレームの帰属状況を判定するように構成されてもよい。
ここで、ネットワーク識別情報は、第２の無線フレーム送信側のネットワーク識別情報である。
【０１１５】
本発明の他の実施例において、第２の更新ユニットは、上り・下り識別情報に基づき、第２の無線フレームが上り無線フレームであると判定すると、ネットワーク識別情報と自身のネットワーク識別情報または自身の所属するマルチＢＳＳセットにおけるいずれかのネットワーク識別情報との照合を行うように構成されてもよく、マッチングに成功した場合、第２の無線フレームが自身の所属ＢＳＳの内部無線フレームであると判定し、マッチングに失敗した場合、第２の無線フレームが自身の所属ＢＳＳの外部無線フレームであると判定する。
【０１１６】
本発明の他の実施例において、第２の更新ユニットは、上り・下り識別情報に基づき、第２の無線フレームが下り無線フレームであると判定すると、第２の無線フレームが自身の所属ＢＳＳの外部無線フレームであると判定するように構成されてもよい。
【０１１７】
このことから分かるように、上記装置実施例の説明が上記方法実施例の説明と類似するものであり、方法実施例と類似する有益な効果を有するため、繰り返し説明しない。本発明の装置実施例において開示されていない技術的詳細については、本発明の方法実施例の説明を参照しながら理解し、紙幅の都合上、繰り返し説明しない。
【０１１８】
同一の発明構想を基に、本実施例は、別の無線フレームの処理装置を更に提供し、図７に示すように、当該装置７０は、
第３の無線フレームを検出するように構成される第３の検出ユニット７１と、
第３の検出ユニットによって第３の無線フレームが検出されると、第３の無線フレームがフレーム間インターバルの後に後続の無線フレームの送信を要求するか否か、および自身が後続の応答フレームを送信する送信条件に満たすか否かを判断するように構成される第２の判断ユニット７２と、
第３の無線フレームがフレーム間インターバルの後に後続の無線フレームの送信を要求し、且つ自身が送信条件に満たしていない場合、第３の無線フレームを受信し、自身のネットワーク割付ベクトルを更新するように構成される第３の更新ユニット７３と、を備える。
【０１１９】
本発明の他の実施例において、第２の判断ユニットは、第３の無線フレームに対して物理／仮想キャリア検出を行うように構成されてもよい。ここで、検出結果は、物理キャリア検出がビジーであること、仮想キャリア検出がビジーであること、またはフレーム間インターバルにおいて検出されたエネルギーがプリセット閾値以上であることを表明した場合、自身が送信条件に満たさないことを表明する。
【０１２０】
本発明の他の実施例において、第２の判断ユニットは、第３の無線フレームを取得した後に、自身が伝送チャンス所有者であるか否かを判断するように構成されてもよく、対応的に、第３の更新ユニットは、ＹＥＳであれば、自身のネットワーク割付ベクトルを更新しないように構成されてもよい。
【０１２１】
本発明の他の実施例において、第２の判断ユニットは、第３の無線フレームを取得した後に、第３の無線フレームに対して即座に応答する必要があるか否かを判断するように構成されてもよく、対応的に、第３の更新ユニットは、ＹＥＳであれば、自身のネットワーク割付ベクトルを更新せず、ＮＯであれば、自身のネットワーク割付ベクトルを更新するように構成されてもよい。
ここで、第３の無線フレームは、伝送チャンス所有者サイトにより送信される。
【０１２２】
このことから分かるように、上記装置実施例の説明が上記方法実施例の説明と類似するものであり、方法実施例と類似する有益な効果を有するため、繰り返し説明しない。本発明の装置実施例において開示されていない技術的詳細については、本発明の方法実施例の説明を参照しながら理解し、紙幅の都合上、繰り返し説明しない。
【０１２３】
本実施例は、コンピュータ実行可能コマンドが記憶され、前記コンピュータ実行可能コマンドが実行されると上記無線フレームの処理方法が実現されるコンピュータ読み取り可能記憶媒体を更に提供する。
【０１２４】
明細書に言及された「１つの実施例」または  「一実施例」とは、実施例に関する特定の特徴、構造または特性が少なくとも１つの実施例に含まれることを意味することを理解すべきである。そのため、明細書全体において異なる箇所に現れた「１つの実施例において」または「一実施例において」というものは、必ずしも同じ実施例を指すとは限らない。また、それらの特定の特徴、構造または特性は、いずれの適当な形態で１つまたは複数の実施例に結合されてもよい。本発明の各実施例において、上記異なる過程の番号の大きさは、実行順序の前後を意味することではなく、異なる過程の実行順序は、その機能及び固有ロジックにより判定されてもよく、本実施例の実施過程を限定するものではないことを理解すべきである。本実施例の番号は、説明するためのものに過ぎず、実施例の優劣を代表しない。
【０１２５】
なお、本文において、「含む」、「備える」または他の変形は、非排他的な包含をカバーすることを意図し、一連の要素を含む過程、方法、物品または他の装置は、それらの要素を含むだけでなく、明確に挙げられていない他の要素も含み、或いはこのような過程、方法、物品または装置が固有する要素を更に含む。更に限定されていない場合、「一つの……を含む」という語句により限定された要素は、当該要素を含む過程、方法、物品または装置において別の同じ要素も存在することを排除しない。
【０１２６】
本発明に係る幾つの実施例において、開示されている機器と方法は、他の形態によって実現されてもよいことを理解すべきである。上述した機器実施例は例示的なものに過ぎず、例えば、前記ユニットの区画が論理機能上の区画に過ぎず、実際の実現時に、他の区画形態があってもよい。例えば、複数のユニットまたはアセンブリを結合してもよく、或いは他のシステムにセット積してもよく、或いはある特徴を無視し、或いは実行しない。また、表示または検討した異なる構成部分同士の結合や、直接結合や、通信接続は、あるインタフェース、機器またはユニットの間接結合または通信接続であってもよく、電気的、機械的または他の形態であってもよい。
【０１２７】
上述した分離部材として説明されたユニットは、物理的に分離されていてもよいし物理的に分離されていなくてもよい。ユニットとして表示された部材は、物理ユニットであってもよいし物理ユニットではなくてもよい。同じ箇所に位置するだけでなく、複数のネットワークユニットに配置されてもよい。実際の必要に応じて、その一部または全部のユニットを選択して本実施例に係る態様の目的を実現することができる。
【０１２８】
また、本発明の複数の実施例において、各実施例における複数の機能ユニットの全部は、一つの処理ユニットにセット積されてもよいし、複数のユニットで別に一つのユニットとしてもよいし、２つまたは２つ以上のユニットで１つのユニットにセット積されてもよい。上記セット積されたユニットは、ハードウェアの形態で実現されてもよいし、ハードウェアプラスソフトウェアの機能ユニットの形態で実現されてもよい。
【０１２９】
当業者であれば、上記方法実施例の全部または一部のステップの実現は、プログラムコマンドに関するハードウェアによって完成され、上述したプログラムは、コンピュータ読み取り可能記憶媒体に記憶され、当該プログラムが実現される際に、上記方法実施例を含むステップを実行し、上述した記憶媒体は、可搬型記憶機器、読み取り専用メモリ（Ｒｅａｄ  Ｏｎｌｙ  Ｍｅｍｏｒｙ、ＲＯＭ）、磁気ディスクまたはディスクなどのプログラムコードを記憶可能な媒体を含むことを理解すべきである。
【０１３０】
或いは、本実施例において、セット積されたユニットは、ソフトウェア機能モジュールの形態で実現されて独立した製品として販売・使用される場合、１つのコンピュータ読み取り可能記憶媒体に記憶されてもよい。このような理解を基に、本実施例の技術案、または本分野に寄与する部分は、実質的にソフトウェア製品の形態で体現されてもよい。当該コンピュータソフトウェア製品は、１つの記憶媒体に記憶されており、１つのコンピュータ機器（パソコン、サーバ、またはネットワーク機器などであってもよい）が本発明の複数の実施例において各実施例における前記方法の全部または一部を実行するための複数のコマンドを含む。上述した記憶媒体は、可搬型記憶機器、ＲＯＭ、磁気ディスクまたはディスクなどのプログラムコードを記憶可能な媒体を含む。
【０１３１】
当業者であれば、本明細書に開示される方法の全部またはあるステップ、システム、装置における機能モジュール／ユニットは、ソフトウェア、ハードウェア及びその適切な組合せとして実施されてもよいことを理解すべきである。ハードウェアの実施形態において、上記説明に言及された機能モジュール／ユニット同士の区画は、物理アセンブリの区画に対応するとは限らない。例えば、１つの物理アセンブリは、複数の機能を有してもよく、或いは１つの機能またはステップは、複数の物理アセンブリにより協力して実行されてもよい。あるアセンブリまたはすべてのアセンブリは、プロセッサ例えばデジタル信号プロセッサまたはマイクロプロセッサにより実行されるソフトウェアとして実施されてもよく、セット積回路例えば専用セット積回路として実施されてもよい。このようなソフトウェアは、コンピュータ記憶媒体（または非一時的な媒体）と通信媒体（または一時的な媒体）を含んでもよいコンピュータ読み取り可能媒体に配置されてもよい。当業者が公知したように、コンピュータ記憶媒体は、情報（例えばコンピュータ読み取り可能コマンド、データ構造、プログラムモジュールまたは他のデータ）を記憶するためのいずれも方法または技術に実施される揮発性、不揮発性、取り外し可能、取り外し不可能の媒体を含む。コンピュータ記憶媒体は、ランダムアクセスメモリ（ＲＡＭ、Ｒａｎｄｏｍ  Ａｃｃｅｓｓ  Ｍｅｍｏｒｙ）、読み取り専用メモリ（ＲＯＭ、Ｒｅａｄ−Ｏｎｌｙ  Ｍｅｍｏｒｙ）、電気的消去可能メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ）、フラッシュメモリまたは他のメモリ技術、ディスク読み取り専用メモリ（ＣＤ−ＲＯＭ、Ｃｏｍｐａｃｔ  Ｄｉｓｃ  Ｒｅａｄ−Ｏｎｌｙ  Ｍｅｍｏｒｙ）、デジタル多機能ディスク（ＤＶＤ）または他のディスクメモリ、磁気ボックス、磁気テープ、磁気ディスクメモリまたは他のディスク記憶装置、或いは所望する情報を記憶するために用いられてコンピュータによりアクセス可能な他の媒体を含んだが、それに限定されない。また、当業者が公知したように、通信媒体は、一般的に、コンピュータ読み取り可能コマンド、データ構造、プログラムモジュールや、例えばキャリアまたは他の伝送メカニズムなどの変調データ信号における他のデータを含み、いずれの情報搬送媒体を含んでもよい。
【０１３２】
当業者にとっては、本発明の技術案の趣旨と範囲を逸脱せずに、本発明の技術案を修正、または均等置換することができ、いずれも本発明の特許請求の範囲に属することを理解すべきである。
【産業上の利用可能性】
【０１３３】
本実施例は、第１の無線フレームを検出すると、自身が関連状態にあるか否かを判断し、関連状態であれば、前記第１の無線フレームに担持される第１の属性情報、及び自身に関連付けられる第１のアクセスポイントサイトに対応する第２の属性情報に基づき、前記第１の無線フレームの帰属状況を判定し、前記第１の無線フレームの帰属状況に基づき、自身のネットワーク割付ベクトルを更新し、非関連状態であれば、自身のネットワーク割付ベクトルを更新する、無線フレームの処理方法および装置を提供する。このことから分かるように、本実施例に係る無線フレームの処理方法によって、マルチＢＳＳシーンおよび未関連サイトの検出の最適化に対して、サイトが適切な仮想キャリアまたは物理キャリア検出パラメータを用いて無線フレームを検出・受信可能となるような無線フレームの処理方法を提供する。
【図１】
2019533386.tif 000003
【図２−１】
2019533386.tif 000004
【図２−２】
2019533386.tif 000005
【図３−１】
2019533386.tif 000006
【図３−２ａ】
2019533386.tif 000007
【図３−２ｂ】
2019533386.tif 000008
【図３−３】
2019533386.tif 000009
【図３−４】
2019533386.tif 000010
【図４】
2019533386.tif 000011
【図５】
2019533386.tif 000012
【図６】
2019533386.tif 000013
【図７】
2019533386.tif 000014
【国際調査報告】
2019533386.tif 000015
2019533386.tif 000016
2019533386.tif 000017
2019533386.tif 000018
2019533386.tif 000019